(57)【要約】【課題】保護カバーを利用することなく筐体を容易に把持可能な構成を提供する。【解決手段】無線タグ処理部３０及び情報コード読取部４０等の情報読取部が収容される薄板状の筐体１１の表面１２に表示画面２４ａが配置され、筐体１１の裏面１３には、当該裏面１３の縁部１３ａに対して突出するように突起部６０が設けられる。【選択図】図５
2019179779.tif 000002
【特許請求の範囲】
【請求項１】
外部の情報を読み取り可能な情報読取部と、
前記情報読取部が収容される薄板状の筐体と、
前記筐体の一面に表示画面が配置される表示部と、
を備える携帯端末であって、
前記一面に対して裏面側となる前記筐体の他面には、当該他面の縁部に対して突出するように突起部が設けられることを特徴とする携帯端末。
【請求項２】
前記他面のうち少なくとも前記突起部が設けられる部位が、前記筐体に対して着脱可能な蓋部として構成されることを特徴とする請求項１に記載の携帯端末。
【請求項３】
前記突起部は、前記他面に対して複数設けられることを特徴とする請求項１又は２に記載の携帯端末。
【請求項４】
前記突起部は、前記他面に対して当該他面に沿うようにスライド可能に組み付けられることを特徴とする請求項１〜３のいずれか一項に記載の携帯端末。
【請求項５】
前記突起部は、前記他面に対して平行となる頂面と、前記頂面と前記縁部とを連結する連結面とを備え、
前記頂面と前記連結面とがなす角度が鋭角であることを特徴とする請求項１〜４のいずれか一項に記載の携帯端末。
【発明の詳細な説明】
【技術分野】
【０００１】
本発明は、携帯端末に関するものである。
【背景技術】
【０００２】
近年、携帯端末に採用される表示画面の大画面化が図られており、この大画面化にともない、専用の把持部を有しない薄板状の携帯端末では、その筐体を把持し難くなるという問題が生じている。このような問題に対して、例えば、下記特許文献１に開示される携帯端末用カバーが提案されている。この携帯端末用カバーには、携帯端末の長尺方向へ延びる突起部が設けられており、この突起部は、携帯端末用カバーが被着された携帯端末を片手で把持したときに、手の指が引っ掛かり易い位置に配置される。これにより、ユーザが携帯端末用カバーの突起部に指を引っ掛けることで、携帯を把持しやすくしている。
【先行技術文献】
【特許文献】
【０００３】
【特許文献１】特開２０１７−１６９１６９号公報
【発明の概要】
【発明が解決しようとする課題】
【０００４】
ところで、上記特許文献１のような構成は、あくまで携帯端末に被着された保護カバーの突起部を利用するものである。このため、スマートフォンのように丁寧に扱われる携帯端末であればまだしも、作業現場で利用されるハンディターミナルのように雑に扱われやすい携帯端末では、保護カバー自体が携帯端末から離脱してしまうこともあり、保護カバーの形状を工夫するだけでは不十分となる場合も想定される。
【０００５】
本発明は、上述した課題を解決するためになされたものであり、その目的とするところは、保護カバーを利用することなく筐体を容易に把持可能な構成を提供することにある。
【課題を解決するための手段】
【０００６】
上記目的を達成するため、特許請求の範囲の請求項１に記載の発明は、
外部の情報を読み取り可能な情報読取部（３０，４０）と、
前記情報読取部が収容される薄板状の筐体（１１）と、
前記筐体の一面（１２）に表示画面（２４ａ）が配置される表示部（２４）と、
を備える携帯端末（１０）であって、
前記一面に対して裏面側となる前記筐体の他面（１３）には、当該他面の縁部（１３ａ）に対して突出するように突起部（６０，６０ａ〜６０ｄ）が設けられることを特徴とする。
なお、上記各括弧内の符号は、後述する実施形態に記載の具体的手段との対応関係を示すものである。
【発明の効果】
【０００７】
請求項１の発明では、情報読取部が収容される薄板状の筐体の一面に表示画面が配置され、この一面に対して裏面側となる筐体の他面には、当該他面の縁部に対して突出するように突起部が設けられる。これにより、表示画面が大画面化することで筐体の幅が広くなっても、突起部を利用した筐体の把持が可能となる。したがって、保護カバーを利用することなく筐体を容易に把持することができる。
【０００８】
請求項２の発明では、筐体の他面のうち少なくとも突起部が設けられる部位が、当該筐体に対して着脱可能な蓋部として構成される。これにより、蓋部を交換することで突起部のサイズを変えることができ、ユーザが把持し易い突起部を選択することで、携帯端末をより把持し易くすることができる。
【０００９】
請求項３の発明では、突起部は、他面に対して複数設けられるため、把持可能な部位が増えることから、携帯端末をより把持し易くすることができる。
【００１０】
請求項４の発明では、突起部は、他面に対して当該他面に沿うようにスライド可能に組み付けられるため、ユーザが把持し易い位置に突起部をスライドさせることで、携帯端末をより把持し易くすることができる。
【００１１】
請求項５の発明では、突起部は、他面に対して平行となる頂面と、頂面と縁部とを連結する連結面とを備え、頂面と連結面とがなす角度が鋭角である。これにより、頂面と連結面との連結部分に指が掛かりやすくなるので、携帯端末を把持した指が離れ難くなり、確実に把持することができる。
【図面の簡単な説明】
【００１２】
【図１】第１実施形態に係る携帯端末の構成概要を示す斜視図である。
【図２】図１の携帯端末を裏面側から見た斜視図である。
【図３】図３（Ａ）は、図１の携帯端末の電気的構成を例示するブロック図であり、図３（Ｂ）は、図３（Ａ）の無線タグ処理部を概略的に例示するブロック図であり、図３（Ｃ）は、図３（Ａ）の情報コード読取部を概略的に例示するブロック図である。
【図４】筐体から取り外した電池蓋を示す図であり、図４（Ａ）は、平面図を示し、図４（Ｂ）は、正面図を示し、図４（Ｃ）は、側面図を示す。
【図５】突起部を利用して把持した状態を説明する説明図である。
【図６】図２に対して幅方向を狭くした突起部が設けられる電池蓋に交換した携帯端末を裏面側から見た斜視図である。
【図７】図２に対して２つの突起部が設けられる電池蓋に交換した携帯端末を裏面側から見た斜視図である。
【図８】第２実施形態に係る携帯端末の要部を示す説明図である。
【図９】図９（Ａ）は、図８の一方の突起部をスライドさせた状態を説明する説明図であり、図９（Ｂ）は、図８の両突起部をそれぞれスライドさせた状態を説明する説明図である。
【図１０】第３実施形態に係る携帯端末の要部を示す説明図である。
【発明を実施するための形態】
【００１３】
［第１実施形態］
以下、本発明に係る携帯端末を具現化した第１実施形態について、図面を参照して説明する。
本実施形態に係る携帯端末１０は、ユーザによって携帯されて様々な場所で用いられる携帯型の情報端末として構成されており、アンテナを介して送受信される電波を媒介として無線タグ（ＲＦＩＤタグ）Ｔに記憶されている情報を読み書きする機能に加えて、バーコードや二次元コードなどの情報コードＣを読み取る情報コードリーダとしての機能を兼ね備え、外部の情報の読み取りを二方式で行いうる構成となっている。
【００１４】
図１及び図２に示すように、携帯端末１０は、筐体１１によって外郭が形成されており、筐体１１の表面１２には、狭額縁化（狭ベゼル化）されるように大型化された表示画面２４ａが配置されている。また、筐体１１の裏面１３には、筐体１１内に収容される電池２９ａを交換する際に着脱される電池交換用の電池蓋５０が設けられている。この電池蓋５０には、裏面１３の縁部１３ａとなる部位に対して突出するように突起部６０が設けられている。筐体１１は、表面１２及び裏面１３と、表面１２の長辺と裏面１３の長辺とを連結する一対の側縁面１４ａ，１４ｂと、表面１２の短辺と裏面１３の短辺とを連結する一対の側縁面１４ｃ，１４ｄとにより、略薄板状に形成される。なお、表面１２は、「一面」の一例に相当し、裏面１３は、「一面」に対して裏面側となる筐体１１の「他面」の一例に相当し得る。この突起部６０の詳細形状については後述する。
【００１５】
図３（Ａ）に示すように、携帯端末１０の筐体１１内には、携帯端末１０全体を制御する制御部２１が設けられている。この制御部２１は、マイコンを主体として構成されるものであり、ＣＰＵ、システムバス、入出力インタフェース等を有し、メモリ２２とともに情報処理装置を構成している。メモリ２２には、無線通信処理等を実行するための所定のプログラム等が制御部２１により実行可能に予め格納されている。
【００１６】
また、制御部２１には、ＬＥＤ２３、タッチパネル２４、操作部２５、バイブレータ２６、ブザー２７、外部インタフェース２８などが接続されている。タッチパネル２４は、公知のタッチパネル型の表示装置として構成されており、液晶表示器等の公知の表示デバイスとして構成される表示部と、この表示部の表示画面２４ａに重ねられて当該表示画面２４ａに対して押圧操作（接触）している範囲を検出可能な検出部として機能する透明性の操作パネルとを備えている。このタッチパネル２４は、制御部２１によって表示部の表示内容が制御される。操作部２５は、上記操作パネルを備えるように構成されることで、タッチパネル２４の表示画面２４ａに対する押圧操作（タッチ範囲等）を検出可能に構成される。また、ＬＥＤ２３、バイブレータ２６及びブザー２７は、制御部２１によって制御される構成をなしており、それぞれ、制御部２１からの指令を受けて動作する。外部インタフェース２８は、サーバ等の外部機器との間でネットワーク等を介してデータ通信を行うためのインタフェースとして構成されており、制御部２１と協働して通信処理を行う構成をなしている。また、筐体１１内には、電源部２９が設けられており、この電源部２９や電池２９ａによって制御部２１や各種電気部品に電力が供給されるようになっている。
【００１７】
また、制御部２１には、外部の情報を読み取り可能な情報読取部として機能する無線タグ処理部３０及び情報コード読取部４０が接続されている。
まず、無線タグ処理部３０について、図３（Ｂ）を用いて説明する。
無線タグ処理部３０は、アンテナ３４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部３０は、公知の電波方式で伝送を行う回路として構成されており、図３（Ｂ）にて概略的に示すように、送信回路３１、受信回路３２、整合回路３３などを有している。
【００１８】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００１９】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２０】
次に、情報コード読取部４０について、図３（Ｃ）を用いて説明する。
情報コード読取部４０は、情報コードＣを光学的に読み取るように機能するもので、図３（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００２１】
この情報コード読取部４０によって読み取りを行う場合、まず、制御部２１によって指令を受けた照明部４１から照明光Ｌｆが出射され、この照明光Ｌｆが読取口（図示略）を通って読取対象Ｒに照射される。そして、照明光Ｌｆが情報コードＣにて反射した反射光Ｌｒは読取口を通って装置内に取り込まれ、結像レンズ４２を通って受光センサ４３に受光される。読取口と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとしてメモリ２２（図３（Ａ））に記憶され、情報コードＣに含まれる情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００２２】
次に、筐体１１の裏面１３に設けられる突起部６０について、図４及び図５を参照して詳述する。
図４（Ａ）〜（Ｃ）に示すように、電池蓋５０のうち裏面１３の一部を構成する面の中央部分には、周囲の外周部５１に対して内部側から押し出されるようにして、突起部６０が設けられている。この突起部６０は、外周部５１に対して平行となる略方形状の頂面６１と、頂面６１と外周部５１とを連結し幅方向（図４（Ａ）の左右方向）にて対向する一対の連結面６２ａ，６２ｂと、両連結面６２ａ，６２ｂと異なる部位の外周部５１と頂面６１とを連結し上記幅方向に直交する方向にて対向する一対の連結面６２ｃ，６２ｄとを備えるように構成されている。
【００２３】
各連結面６２ａ〜６２ｄは、頂面６１及び外周部５１との角度がそれぞれ略直角であって、頂面６１と外周部５１との距離（突起部６０の高さＨ１）が表面１２と裏面１３との距離（突起部６０を除く筐体１１の厚さＨ２）以下となるように形成されている（図２参照）。
【００２４】
このように構成される突起部６０は、電池蓋５０が筐体１１の裏面１３に組み付けられることで、裏面１３の縁部１３ａに対して凸状に突出するように配置される。この配置構成では、両連結面６２ａ，６２ｂは、外周部５１により構成される縁部１３ａと頂面６１とを連結するようにそれぞれ配置される。
【００２５】
このように電池蓋５０が組み付けられた携帯端末１０を把持する際、例えば、図５に例示するように、連結面６２ａと頂面６１との連結部分に親指を引っ掛けるとともに、連結面６２ｂと頂面６１との連結部分に残りの指の少なくとも一部を引っ掛けることで、突起部６０を利用して筐体１１を把持することができる。これにより、手が小さいために幅広い筐体１１の側縁面１４ａと側縁面１４ｂとを利用した把持ができないようなユーザであっても、突起部６０を利用して筐体１１を把持することができる。
【００２６】
また、例えば、連結面６２ａと頂面６１との連結部分に親指を引っ掛けるとともに、側縁面１４ｂに残りの指を引っ掛けることでも、突起部６０を利用して筐体１１を把持することができる。また、例えば、連結面６２ｂと頂面６１との連結部分に親指を引っ掛けるとともに、連結面６２ａと頂面６１との連結部分に残りの指の少なくとも一部を引っ掛けることでも、突起部６０を利用して筐体１１を把持することができる。また、例えば、連結面６２ｂと頂面６１との連結部分に親指を引っ掛けるとともに、側縁面１４ａに残りの指を引っ掛けることでも、突起部６０を利用して筐体１１を把持することができる。
【００２７】
以上説明したように、本実施形態に係る携帯端末１０では、無線タグ処理部３０及び情報コード読取部４０等の情報読取部が収容される薄板状の筐体１１の表面１２に表示画面２４ａが配置され、筐体１１の裏面１３には、当該裏面１３の縁部１３ａに対して突出するように突起部６０が設けられる。
【００２８】
これにより、表示画面２４ａが大画面化することで筐体１１の幅（側縁面１４ａと側縁面１４ｂとの距離）が広くなっても、上述のように突起部６０を利用した筐体１１の把持が可能となる。したがって、保護カバーを利用することなく筐体１１を容易に把持することができる。すなわち、手の大きな男性や手の小さな女性、右利き、左利きといったユーザに依存せず持ちやすい携帯端末１０を実現することができる。
【００２９】
特に、筐体１１の裏面１３のうち突起部６０が設けられる部位が、当該筐体１１に対して着脱可能な電池蓋５０として構成される。これにより、電池蓋５０を交換することで突起部６０のサイズを変えることができ、ユーザが把持し易い突起部６０を選択することで、携帯端末１０をより把持し易くすることができる。
【００３０】
例えば、筐体１１の裏面１３に組み付けられる電池蓋５０を、図６に示すように、上述した突起部６０に対して幅方向を狭くした突起部６０ａが設けられる電池蓋５０ａに交換することができる。これにより、連結面６２ａと連結面６２ｂとの距離や連結面６２ａと側縁面１４ｂとの距離、連結面６２ｂと側縁面１４ａとの距離が短くなるため、手が小さいために突起部６０を利用した把持ができないようなユーザであっても、突起部６０ａを利用して筐体１１を把持することができる。
【００３１】
なお、突起部６０（６０ａ）は、電池蓋５０（５０ａ）に設けられることに限らず、筐体１１の裏面１３に対して着脱可能な蓋部に対して設けられることで、上記効果を奏する。また、突起部６０（６０ａ）自体が筐体１１の裏面１３に対して着脱可能に組み付けられてもよい。また、突起部６０（６０ａ）は、例えば、筐体１１の裏面１３のうち交換できない部位に直接設けられてもよい。
【００３２】
また、図７に示す電池蓋５０ｂに設けられる一対の突起部６０ｂのように、裏面１３に対して突起部が２つ設けられてもよい。また、裏面１３に対して突起部が３つ以上設けられてもよい。このように、裏面１３に対して突起部が複数設けられることで、把持可能な部位が増えることから、ユーザによっては、携帯端末１０をより把持し易くすることができる。
【００３３】
［第２実施形態］
次に、第２実施形態に係る携帯端末について、図面を参照して説明する。
本第２実施形態では、突起部が裏面に対してスライド可能に組み付けられる点が、上記第１実施形態と主に異なる。したがって、第１実施形態と実質的に同一の構成部分には、同一符号を付し、その説明を省略する。
【００３４】
本実施形態では、上述した電池蓋５０に代えて図８に例示する電池蓋５０ｃが採用されている。この電池蓋５０ｃは、一対の突起部６０ｃが裏面１３に対して当該裏面１３に沿うようにスライド可能に組み付けられるように構成されている。
【００３５】
具体的には、電池蓋５０ｃの外周部５１内には、四角状に凹む凹部５２が設けられており、この凹部５２は、方形状の底面５３と底面５３の四辺にそれぞれ連結する内面５４ａ〜５４ｄとを備えるように形成されている。各内面５４ａ〜５４ｄのうち幅方向に直交する方向にて対向する一対の内面５４ｃ，５４ｄには、突起部６０ｃが摺接し易くなるために、細かい凹凸が設けられている。なお、図８では、便宜上、内面５４ｃ，５４ｄの凹凸を強調して図示している。
【００３６】
一対の突起部６０ｃは、一端が内面５４ｃに摺接し、他端が内面５４ｄに摺接するように、凹部５２に対してそれぞれ組み付けられている。これにより、一対の突起部６０ｃは、底面５３、すなわち、裏面１３に対して、それぞれ幅方向（図８の矢印Ｆ参照）にスライド可能に組み付けられることとなる。
【００３７】
このように、本実施形態では、一対の突起部６０ｃは、裏面１３に対して当該裏面１３に沿うようにスライド可能に組み付けられるため、ユーザが把持し易い位置に一対の突起部６０ｃの少なくとも一方をスライドさせることができる。これにより、例えば、図９（Ａ）に示すように、一対の突起部６０ｃの一方のみを内側へスライドさせることもできるし、図９（Ｂ）に示すように、両突起部６０ｃをそれぞれ内側へスライドさせることもできる。
【００３８】
このため、手のサイズが異なる複数のユーザが利用する場合でも、電池蓋５０ｃを交換することなく、それぞれのユーザの手に馴染みやすい形状に合わせることができ、携帯端末１０をより把持し易くすることができる。また、手のサイズが大きなユーザであれば、一対の突起部６０ｃを凹部５２から取り外して使用することもできる。
【００３９】
なお、裏面１３に沿うようにスライド可能に組み付けられる突起部６０ｃは、２つ設けられることに限らず、１つ設けられてもよいし、３つ以上設けられてもよい。
【００４０】
また、突起部が裏面１３に沿うようにスライド可能に組み付けられる構成は、凹部５２の内面５４ｃ，５４ｄに設けられる細かい凹凸を利用して実現されることに限らず、例えば、内面５４ｃ，５４ｄに設けられるガイドなどの他の公知のスライド機構を利用して実現されてもよい。
【００４１】
［第３実施形態］
次に、第３実施形態に係る携帯端末について、図面を参照して説明する。
本第３実施形態では、頂面と連結面とがなす角度が鋭角となるように突起部が形成される点が、上記第１実施形態と主に異なる。したがって、第１実施形態と実質的に同一の構成部分には、同一符号を付し、その説明を省略する。
【００４２】
本実施形態では、上述した電池蓋５０に代えて図１０に例示する電池蓋５０ｄが採用されている。この電池蓋５０ｄの突起部６０ｄは、頂面６１と両連結面６２ａ，６２ｂとがなす角度θがそれぞれ鋭角（例えば、７０°）となるように形成されている。
【００４３】
これにより、頂面６１と両連結面６２ａ，６２ｂとの連結部分に指が掛かりやすくなるので、携帯端末１０を把持した指が離れ難くなり、確実に把持することができる。
【００４４】
なお、頂面６１と両連結面６２ａ，６２ｂとがなす角度θがそれぞれ鋭角となるように突起部が形成される本実施形態の特徴的構成は、他の実施形態等にも適用することができる。
【００４５】
なお、本発明は上記各実施形態等に限定されるものではなく、例えば、以下のように具体化してもよい。
（１）突起部６０は、その高さＨ１が、突起部６０を除く筐体１１の厚さＨ２以下となるように形成されることに限らず、使用される環境等によっては、その高さＨ１が、突起部６０を除く筐体１１の厚さＨ２を超えるように形成されてもよい。他の突起部６０ａ等についても同様である。
【００４６】
（２）突起部６０は、頂面６１と両連結面６２ａ，６２ｂとのそれぞれの連結部に、指の引っ掛かりを良くするための１又は２以上の凹部又は凸部が設けられるように形成されてもよい。これにより、携帯端末１０をより把持し易くすることができる。他の突起部６０ａ等についても同様の効果を奏する。
【００４７】
（３）本発明は、無線タグ処理部３０及び情報コード読取部４０を備える携帯端末に採用されることに限らず、どちらか一方の機能を有する携帯端末に採用されてもよいし、さらに他の機能を有する携帯端末に採用されてもよい。
【符号の説明】
【００４８】
１０…携帯端末
１１…筐体
１２…表面（一面）
１３…裏面（他面）
１３ａ…縁部
２４…タッチパネル（表示部）
２４ａ…表示画面
３０…無線タグ処理部（情報読取部）
４０…情報コード読取部（情報読取部）
５０，５０ａ〜６０ｄ…電池蓋（蓋部）
６０，６０ａ〜６０ｄ…突起部
６１…頂面
６２ａ〜６２ｄ…連結面
【図１】
2019179779.tif 000003
【図２】
2019179779.tif 000004
【図３】
2019179779.tif 000005
【図４】
2019179779.tif 000006
【図５】
2019179779.tif 000007
【図６】
2019179779.tif 000008
【図７】
2019179779.tif 000009
【図８】
2019179779.tif 000010
【図９】
2019179779.tif 000011
【図１０】
2019179779.tif 000012